(57)【要約】【課題】幅の狭い用紙でも重送のまま搬送してしまう虞を低減できる用紙搬送装置を提供する。【解決手段】用紙Ｐをセットする用紙サポート１３と、用紙サポート１３にセットされた用紙Ｐを搬送する搬送部と、用紙Ｐの端をガイド可能な第１エッジガイド１７Ａと、発信部から発信した超音波を受信部４７Ｂで受信することで用紙Ｐの重送を検出する重送センサー４７と、超音波の少なくとも一部を遮ることができるシャッター部４８とを備え、第１エッジガイド１７Ａは、幅方向Ｘに移動可能とされ、用紙Ｐをガイドする第１ガイド面１７Ａａを有し、シャッター部４８は、第１エッジガイド１７Ａの移動と連動して移動し、第１ガイド面１７Ａａを搬送方向Ｙに延長した延長線と重送センサー４７とが交差する場合に、延長線を跨ぐ位置に位置して超音波を遮る。【選択図】図３
2017088269.tif 000002
【特許請求の範囲】
【請求項１】
用紙をセットするセット部と、
該セット部にセットされた前記用紙を搬送方向に１枚ずつ搬送する搬送部と、
前記搬送方向と交差する幅方向において前記用紙の一方の端をガイド可能なエッジガイドと、
前記搬送部により搬送される前記用紙を通過するように発信部から超音波を発信し、該超音波を受信部で受信することで前記用紙の重送を検出する重送検出部と、
前記超音波の少なくとも一部を遮ることができるシャッター部と
を備え、
前記エッジガイドは、前記幅方向に移動可能とされ、前記セット部にセットされた前記用紙を前記搬送方向に沿ってガイドするガイド面を有し、
前記シャッター部は、前記エッジガイドの移動と連動して移動し、前記ガイド面を前記搬送方向に延長した延長線と前記重送検出部とが交差する場合に、前記延長線を跨ぐ位置に位置して前記超音波を遮ることを特徴とする用紙搬送装置。
【請求項２】
前記重送検出部を制御する重送検出制御部をさらに備え、
前記重送検出制御部は、
前記用紙が搬送される前に前記発信部に超音波を発信させ、前記受信部が受信した前記超音波の大きさに応じて、前記重送検出部が前記用紙の重送を検出する場合に前記発信部が発信する前記超音波の大きさと、重送か否かを判断するための閾値と、のうち少なくとも一方を変更することを特徴とする請求項１に記載の用紙搬送装置。
【請求項３】
前記幅方向において前記用紙の一方の端をガイド可能な前記エッジガイドを第１エッジガイドとしたとき、前記用紙の他方の端をガイド可能な第２エッジガイドをさらに備え、
前記第１エッジガイドは、前記幅方向において前記第２エッジガイドとの間の幅が最小の第１位置と前記幅が最大の第２位置との間を移動可能とされ、
前記シャッター部は、前記第１エッジガイドが前記第１位置に位置するとき、前記超音波の一部を遮ることを特徴とする請求項１又は請求項２に記載の用紙搬送装置。
【請求項４】
前記重送検出部の状態を報知する報知部と、
前記搬送部による前記用紙の搬送動作の開始を指示する指示部と、
前記重送検出部による重送検出を有効にする有効モード及び重送検出を無効にする無効モードの何れか一方を設定するモード設定部と
をさらに備え、
前記受信部が受信した超音波の大きさが重送の検出に必要な超音波の大きさよりも小さい状態で前記指示部により前記搬送動作の開始を指示されると、
前記報知部は、前記重送検出部の状態を報知し、
さらに前記指示部により前記搬送動作の開始を指示されると、
前記モード設定部は、前記無効モードを設定し、
前記搬送部は、前記無効モードで前記用紙を搬送することを特徴とする請求項１又は請求項２に記載の用紙搬送装置。
【請求項５】
前記シャッター部は、前記搬送部により搬送される前記用紙の搬送経路の一部を構成することを特徴とする請求項１〜請求項４のうち何れか一項に記載の用紙搬送装置。
【発明の詳細な説明】
【技術分野】
【０００１】
本発明は、用紙搬送装置に関する。
【背景技術】
【０００２】
従来から、供給トレイ（セット部）に載置された複数のシート（用紙）を１枚ずつ搬送路へ送り出すと共に、搬送路に沿ってシートを搬送するシート搬送装置（用紙搬送装置）が知られている。そして、このようなシート搬送装置の中には、複数枚のシートが重なって搬送される状態（以下、重送ともいう。）を検出する重送センサ（重送検出部）を備えているものがある（例えば特許文献１）。
【０００３】
この重送センサは、超音波を送信（発信）する送信部（発信部）と、送信部から送信されてシートを通過した超音波を受信する受信部とを有している。そして、重送センサは、超音波が１枚のシートを通過した場合と、複数枚のシートを通過した場合の減衰の違いに基づいて重送を検出していた。
【先行技術文献】
【特許文献】
【０００４】
【特許文献１】特開２０１３−１１２４８６号公報
【発明の概要】
【発明が解決しようとする課題】
【０００５】
ところで、超音波は、進行方向に障害物があるとき、この障害物を回り込むように進む性質がある。そのため、搬送されるシートの中央部で超音波を通過させる場合と、このシートの端部で超音波を通過させる場合とでは、受信部が受信する超音波の大きさが変わってしまうことがあった。すなわち、シートの端部で超音波を通過させる場合には、受信部は、シートを通過した超音波とシートの端を回り込んだ超音波とを受信してしまい、複数枚のシートが搬送されていても重送を検出することができないことがあった。
【０００６】
そのため、シートは、端が重送センサーから十分に離れるような広い幅でなければならず、幅の狭いシートを搬送する場合には、重送を見逃してしまう虞があった。
本発明は、こうした実情に鑑みてなされたものであり、その目的は、幅の狭い用紙でも重送のまま搬送してしまう虞を低減できる用紙搬送装置を提供することにある。
【課題を解決するための手段】
【０００７】
以下、上記課題を解決するための手段及びその作用効果について記載する。
上記課題を解決する用紙搬送装置は、用紙をセットするセット部と、該セット部にセットされた前記用紙を搬送方向に１枚ずつ搬送する搬送部と、前記搬送方向と交差する幅方向において前記用紙の一方の端をガイド可能なエッジガイドと、前記搬送部により搬送される前記用紙を通過するように発信部から超音波を発信し、該超音波を受信部で受信することで前記用紙の重送を検出する重送検出部と、前記超音波の少なくとも一部を遮ることができるシャッター部とを備え、前記エッジガイドは、前記幅方向に移動可能とされ、前記セット部にセットされた前記用紙を前記搬送方向に沿ってガイドするガイド面を有し、前記シャッター部は、前記エッジガイドの移動と連動して移動し、前記ガイド面を前記搬送方向に延長した延長線と前記重送検出部とが交差する場合に、前記延長線を跨ぐ位置に位置して前記超音波を遮る。
【０００８】
ガイド面は、用紙を搬送方向に沿ってガイドするため、搬送部により搬送される用紙の端は、ガイド面を延長した延長線に沿って移動する。そのため、重送検出部が延長線と交差する場合には、発信部から発信された超音波が用紙の端を回り込み、用紙が重送されていても重送検出部が重送を見逃してしまう虞がある。その点、この構成によれば、シャッター部が延長線を跨ぐ位置に位置して超音波を遮るため、超音波が用紙の端を回り込むのを抑制できる。したがって、幅の狭い用紙でも重送のまま搬送してしまう虞を低減できる。
【０００９】
上記用紙搬送装置は、前記重送検出部を制御する重送検出制御部をさらに備え、前記重送検出制御部は、前記用紙が搬送される前に前記発信部に超音波を発信させ、前記受信部が受信した前記超音波の大きさに応じて、前記重送検出部が前記用紙の重送を検出する場合に前記発信部が発信する前記超音波の大きさと、重送か否かを判断するための閾値と、のうち少なくとも一方を変更するのが好ましい。
【００１０】
受信部が受信する超音波の大きさは、シャッター部が超音波を遮るほど小さくなる。その点、この構成によれば、重送検出制御部は、用紙が搬送される前に発信部に超音波を発信させる。そして、重送検出制御部は、受信部が受信した超音波の大きさに応じて、用紙の重送を検出する場合に発信部が発信する超音波の大きさと、重送か否かを判断するための閾値と、のうち少なくとも一方を変更する。すなわち、例えば重送検出制御部は、用紙が搬送される前に受信部が受信した超音波の大きさが小さい場合に、発信部が発信する超音波の大きさを大きくするのと、閾値を小さくするのと、のうち少なくとも一方を行うことができる。したがって、重送検出部は、重送の検出を精度よく行うことができる。
【００１１】
上記用紙搬送装置は、前記幅方向において前記用紙の一方の端をガイド可能な前記エッジガイドを第１エッジガイドとしたとき、前記用紙の他方の端をガイド可能な第２エッジガイドをさらに備え、前記第１エッジガイドは、前記幅方向において前記第２エッジガイドとの間の幅が最小の第１位置と前記幅が最大の第２位置との間を移動可能とされ、前記シャッター部は、前記第１エッジガイドが前記第１位置に位置するとき、前記超音波の一部を遮るのが好ましい。
【００１２】
この構成によれば、第１エッジガイドが第１位置に位置するとき、シャッター部は超音波の一部を遮る。すなわち、遮られていない部分の超音波が受信部に受信されるため、セット部にセットされる用紙の幅が最小の場合でも、用紙の重送を検出できる。
【００１３】
上記用紙搬送装置は、前記重送検出部の状態を報知する報知部と、前記搬送部による前記用紙の搬送動作の開始を指示する指示部と、前記重送検出部による重送検出を有効にする有効モード及び重送検出を無効にする無効モードの何れか一方を設定するモード設定部とをさらに備え、前記受信部が受信した超音波の大きさが重送の検出に必要な超音波の大きさよりも小さい状態で前記指示部により前記搬送動作の開始を指示されると、前記報知部は、前記重送検出部の状態を報知し、さらに前記指示部により前記搬送動作の開始を指示されると、前記モード設定部は、前記無効モードを設定し、前記搬送部は、前記無効モードで前記用紙を搬送するのが好ましい。
【００１４】
シャッター部が超音波を遮ると、受信部が受信した超音波の大きさが重送の検出に必要な大きさよりも小さくなることがある。その点、この構成によれば、報知部が重送検出部の状態を報知しても、指示部が用紙の搬送動作を指示すると、重送検出を無効にした無効モードで用紙を搬送することができる。したがって、搬送可能な用紙の幅をより狭くできる。
【００１５】
上記用紙搬送装置において、前記シャッター部は、前記搬送部により搬送される前記用紙の搬送経路の一部を構成するのが好ましい。
この構成によれば、搬送される用紙とシャッター部とを接触させることができるため、用紙とシャッター部との隙間を通って回り込む超音波を低減できる。
【図面の簡単な説明】
【００１６】
【図１】第１実施形態における用紙搬送装置を示す斜視図。
【図２】用紙搬送装置を示す模式側断面図。
【図３】本体部の搬送面部を示す模式平面図。
【図４】搬送方向の下流側から見た重送センサーとシャッター部の模式図。
【図５】第１位置に位置する第１エッジガイドとシャッター部を示す模式平面図。
【図６】用紙搬送装置の電気的構成及び機能的構成を示すブロック図。
【図７】第２実施形態における用紙搬送装置のシャッター部を示す模式平面図。
【図８】搬送方向の下流側から見た重送センサーとシャッター部の模式図。
【発明を実施するための形態】
【００１７】
（第１実施形態）
以下、用紙搬送装置の第１実施形態を、図面を参照して説明する。
図１に示すように、本実施形態の用紙搬送装置１１は、側面視が略台形形状を有する装置本体（以下、単に「本体１２」という。）１２と、搬送対象である用紙Ｐ（図２参照）が載置（セット）される載置面１３Ａを有するセット部の一例である用紙サポート１３とを備える。用紙サポート１３に載置された用紙Ｐは、本体１２の上部に開口する給送口１２Ａへ１枚ずつ給送される。給送された用紙Ｐは、本体１２内を所定の搬送経路３２（図２参照）に沿って搬送され、その搬送途中の読取位置で画像が読み取られた後、本体１２の前側下部に開口する排出口１２Ｂから排出され、例えば排出トレイ１８Ａ（図２参照）に積載される。
【００１８】
用紙サポート１３は、本体１２に対して基端部（下端部）が回動可能に連結された第１サポート部１４と、第１サポート部１４の先端部に対して基端部が回動可能に連結された第２サポート部１５とを備える。第２サポート部１５の先端部には、スライド式の補助サポート部１６が出退可能に設けられている。用紙サポート１３は、本体１２の後側上方へ斜めに延出し、用紙Ｐを載置可能なサポートとして機能する図１に示す開位置（使用位置）と、ユーザーによって開位置から図１の紙面手前方向へ回動されることにより、本体１２の上面部及び前面部１２Ｃを覆う閉位置（収納位置）とに配置可能となっている。
【００１９】
用紙サポート１３の載置面１３Ａには、用紙Ｐが搬送される搬送方向Ｙと交差（特に直交）する幅方向Ｘに移動（スライド）可能な一対の第１エッジガイド１７Ａと第２エッジガイド１７Ｂとが設けられている。第１エッジガイド１７Ａは、幅方向Ｘにおいて用紙Ｐの一方の端をガイド可能であり、用紙サポート１３に載置された用紙Ｐを搬送方向Ｙに沿ってガイドする第１ガイド面１７Ａａを有する。また、第２エッジガイド１７Ｂは、幅方向Ｘにおいて用紙Ｐの他方の端をガイド可能であり、用紙サポート１３に載置された用紙Ｐを搬送方向Ｙに沿ってガイドする第２ガイド面１７Ｂａ（図３参照）を有する。
【００２０】
すなわち、載置面１３Ａ上に積載された用紙Ｐは、第１エッジガイド１７Ａと第２エッジガイド１７Ｂに挟まれることで、給送口１２Ａに対して幅方向Ｘに位置決めされる。なお、本実施形態の第１エッジガイド１７Ａと第２エッジガイド１７Ｂは、一方の移動に連動して他方が移動し、幅方向Ｘにおいて中央から第１エッジガイド１７Ａの距離と中央から第２エッジガイド１７Ｂとの距離が略同じとなって用紙Ｐを中央に揃える。
【００２１】
図１及び図２に示すように、本体１２は、本体部１８と、本体部１８の前端部を中心に回動可能に連結されたカバー部１９とを備える。カバー部１９が図１及び図２に示す閉位置に配置された状態では、図２に示すように、本体部１８とカバー部１９との間に給送口１２Ａから排出口１２Ｂに至る搬送経路３２が形成される。ユーザーが図１に示す操作部１９Ａを操作してカバー部１９の係止を解除し、カバー部１９を図１に示す閉位置から図１の紙面手前方向へ開位置まで回動させると、搬送経路３２の一方の面部を形成する搬送面部３９（図３参照）が露出する。このカバー部１９を開けて搬送面部３９を露出状態とすることで、用紙Ｐの紙詰まり（ジャム）の除去や給送・搬送用のローラー３３Ａ〜３６Ａ等（図２参照）のメンテナンス等が行われる。
【００２２】
図１に示すように、本体１２（カバー部１９）の前面部１２Ｃには、用紙Ｐの搬送を開始する指示や重送検出を無効にする指示を出す指示部２０が設けられている。なお、重送とは、用紙サポート１３に載置された用紙Ｐが複数枚重なって搬送される状態をいう。そして、指示部２０は、用紙搬送装置１１に指示を与えるための複数のスイッチを備える。詳しくは、指示部２０は、電源スイッチ２１、スタートスイッチ２２、ストップスイッチ２３、読取モード選択スイッチ２４、重送検出無効スイッチ２５（重送検出スキップスイッチ）及び無線通信用スイッチ２６などの各種のスイッチからなる。
【００２３】
電源スイッチ２１は、ユーザーに操作されることにより、用紙搬送装置１１への電力の供給と遮断の切り替え指示を出すスイッチである。スタートスイッチ２２は、搬送部３１による用紙Ｐの搬送動作の開始を指示するスイッチである。ストップスイッチ２３は、スタートスイッチ２２の操作によって開始されたジョブを中断もしくは中止させるストップ指示を出すスイッチである。読取モード選択スイッチ２４は、カラーモード（例えばモノクロ、カラー）や画質などの読取モードを指示するスイッチである。
【００２４】
重送検出無効スイッチ２５は、重送の有無を検出する重送検出を無効にする無効モードを設定する際にユーザーにより操作され、重送検出の無効指示を出すスイッチである。無線通信用スイッチ２６は、無線通信のオン／オフの切り替え指示を出すスイッチである。
【００２５】
指示部２０に隣接する位置には、例えばＬＥＤ等により点灯と点滅の少なくとも一方と消灯とが可能、あるいは点灯時の点灯色の変更が可能な表示灯からなる報知部２７が設けられている。報知部２７は、例えば電源のオン／オフ、現在選択中のモード、重送検出の有効／無効などを表示灯の点灯・消灯あるいは点灯色の変更によってユーザーに報知する。
【００２６】
図２に示すように、用紙搬送装置１１の本体１２内には、画像読取処理（スキャン処理）を行う画像読取処理機構３０が設けられている。画像読取処理機構３０は、用紙Ｐを搬送する搬送部３１を備える。搬送部３１は、用紙サポート１３に積載（セット）された複数枚の用紙Ｐを、搬送方向Ｙに１枚ずつ搬送する。すなわち、搬送部３１は、給送口１２Ａから板状の給送ガイド３２Ａに沿って本体１２内へ案内しつつ給送し、給送した用紙Ｐを搬送経路３２に沿って一定の搬送速度で搬送する。
【００２７】
搬送部３１は、本体１２内の搬送経路３２の上流端位置に配置された一対の給送ローラー対３３と、給送ローラー対３３よりも搬送方向下流側に配置された一対の給送ローラー対３４とを備える。さらに、搬送部３１は、搬送方向Ｙに用紙Ｐの読取位置を挟んで上流側に配置された一対の搬送ローラー対３５と、下流側に配置された一対の搬送ローラー対３６とを備える。
【００２８】
給送ローラー対３３，３４は、駆動ローラー３３Ａ，３４Ａと従動ローラー３３Ｂ，３４Ｂとにより構成される。また、搬送ローラー対３５，３６は、駆動ローラー３５Ａ，３６Ａと従動ローラー３５Ｂ，３６Ｂとにより構成される。各従動ローラー３３Ｂ〜３６Ｂは、それぞれが対をなす駆動ローラー３３Ａ〜３６Ａの回転により連れ回りする。
【００２９】
複数のローラー対３３〜３６を構成する各駆動ローラー３３Ａ〜３６Ａは、それらの動力源である搬送モーター３７の動力により回転駆動する。また、給送ローラー対３４を構成する従動ローラー３４Ｂはリタードローラーとなっており、その外周面の用紙Ｐに対する摩擦係数が、駆動ローラー３４Ａの外周面の用紙Ｐに対する摩擦係数よりも大きくなっている。このため、給送ローラー対３４は、用紙Ｐを１枚ずつ分離して搬送方向Ｙの下流側へ送り出す分離機構３８として機能する。よって、給送ローラー対３３の回転により用紙サポート１３に積載された複数枚の用紙Ｐは、例えば最下位のものから順番に１枚ずつ給送口１２Ａから本体１２内へ給送され、さらに給送ローラー対３４の回転により１枚ずつ分離されて搬送方向Ｙの下流側へ給送される。
【００３０】
図２に示すように、本体１２内に給送ローラー対３３，３４及び各搬送ローラー対３５，３６により形成された搬送経路３２の途中の読取位置には、搬送部３１により搬送される用紙Ｐの画像を読み取る読取部４０が設けられている。読取部４０は、搬送経路３２を挟む両側に設けられた第１読取部４０Ａと第２読取部４０Ｂとからなり、互いに対向しない程度に搬送方向Ｙに少しずれた位置に配置されている。一対の読取部４０は、搬送中の用紙Ｐに光を照射可能な光源４１と、主走査方向（幅方向Ｘ）に延びるイメージセンサー４２とにより構成される。用紙Ｐの片面（表面）を読み取る通常読取モードのときは、第１読取部４０Ａが読取動作を行い、用紙Ｐの両面（表裏面）を読み取る両面読取モードのときは、第１読取部４０Ａと第２読取部４０Ｂとが共に読取動作を行う。
【００３１】
光源４１は、例えばＬＥＤや蛍光ランプなどにより構成される。イメージセンサー４２は、光源４１から射出された光が用紙Ｐ等で反射した反射光を受光し、受光した光を電気信号に変換して受光量に応じた値の画素信号を出力する。イメージセンサー４２は、例えばリニアイメージセンサーである。用紙搬送装置１１は、カラースキャンとモノクロスキャン（グレースケールスキャン）とが可能である。カラースキャン方式には、イメージセンサーがモノクロで、ＲＧＢ各色の光源を時系列で順番に発光させてイメージセンサーからＲＧＢ各色の画素信号を順番に取得する方式と、イメージセンサーがカラーフィルターで覆われたＲＧＢ各色の光電変換素子を備え、白色光源を発光させて各光電変換素子からＲＧＢの各画素信号を取得する方式とがある。カラースキャン方式はどちらの方式でもよい。なお、以下では、光源４１とイメージセンサー４２を、第１読取部４０Ａ側のものを指して、第１光源４１Ａ及び第１イメージセンサー４２Ａと記し、第２読取部４０Ｂ側のものを指して、第２光源４１Ｂ及び第２イメージセンサー４２Ｂと記す場合がある。
【００３２】
さらに、イメージセンサー４２と搬送経路３２を挟んで対向する位置には、色基準板４３が配置されている。色基準板４３はシェーディング補正用の白基準値を得るためのもので、白色を呈する白基準板又はグレー（灰色）を呈するグレー基準板が用いられる。グレー基準板は、色基準板４３を用紙の背景（グレー背景）として読み取った読取データから、用紙と背景との色又は輝度値の違いを基に、用紙Ｐの位置及び領域を検出するために用いられる。なお、用紙検出専用のセンサーで用紙の検出を行う構成とした場合は、色基準板４３を白基準板にすることが好ましい。
【００３３】
イメージセンサー４２は、複数の光電変換素子を主走査方向（幅方向Ｘ）に沿って一列に配置した、例えばコンタクト型イメージセンサーである。さらにイメージセンサー４２は、具体的にはＣＭＯＳ（Complementary Metal Oxide Semiconductor）イメージセンサーである。イメージセンサー４２は、各光電変換素子が受光した光を光電変換して受光量に応じた値の画素信号を出力する。
【００３４】
搬送モーター３７、読取部４０（４０Ａ，４０Ｂ）を構成する光源４１及びイメージセンサー４２は、本体１２内に設けられたコントローラー５０により制御される。また、コントローラー５０は、ユーザーが操作する指示部２０から与えられた指示に基づき用紙搬送装置１１を制御する。
【００３５】
次に図３を参照して、用紙Ｐの搬送経路３２のうちの下側の面部を形成する搬送面部３９について説明する。図３に示すように、本体部１８の上面によって形成される搬送面部３９は、本体部１８の上面を覆う搬送板１８Ｂと、その上面から突出すると共に搬送方向Ｙに沿って互いに平行に延びる複数本のリブ１８Ｃとを有する。搬送面部３９における幅方向Ｘの略中央部には、搬送方向Ｙの上流側から順に、給送ローラー対３３，３４を構成する各駆動ローラー３３Ａ，３４Ａ、搬送ローラー対３５，３６を構成する各駆動ローラー３５Ａ，３６Ａが、それぞれ幅方向Ｘに少しの間隔を隔てて一対ずつ配置されている。給送ローラー対３３を構成する一対の駆動ローラー３３Ａの間には、用紙サポート１３にセットされた用紙Ｐを検出するセットセンサー４５が配置されている。セットセンサー４５は、例えばレバーを有する接触式センサーであり、レバーが押されることで、用紙サポート１３にセットされた用紙Ｐの有無を検出する。
【００３６】
また、搬送ローラー対３５を構成する一対の駆動ローラー３５Ａの間には、用紙サポート１３にセットされて搬送部３１により搬送される用紙Ｐを検出する搬送センサー４６が配置されている。搬送センサー４６は、例えばレバー（接触子）を有する接触式センサーであり、用紙Ｐの先端がレバーを押して非検知状態（オフ）から検知状態（オン）に切り換わることをもって先端を検知し、その後端がレバーを通り過ぎてレバーが押されなくなって、検知状態から非検知状態に切り換わることをもって後端を検知する。そして、搬送センサー４６の検知結果は、その搬送方向Ｙの下流側に配置された読取部４０（４０Ａ，４０Ｂ）の読取動作の開始と終了のタイミングの制御に用いられる。
【００３７】
さらに、搬送方向Ｙにおいて給送ローラー対３４と搬送ローラー対３５との間の位置には、搬送部３１により搬送される用紙Ｐの重送を検出する重送検出部の一例である重送センサー４７が配置されている。
【００３８】
図４に示すように、重送センサー４７は、搬送部３１により搬送される用紙Ｐを通過するように発信部４７Ａから超音波を発信し、この超音波を受信部４７Ｂで受信することで用紙Ｐの重送を検出する。すなわち、発信部４７Ａと受信部４７Ｂは、搬送経路３２を挟んで対向する位置に配置されている。そして、発信部４７Ａと受信部４７Ｂとの間の領域を検出領域Ａとする。すなわち、発信部４７Ａは、検出領域Ａに向けて超音波を発信し、受信部４７Ｂは検出領域Ａを通った超音波を受信する。
【００３９】
重送センサー４７は、発信部４７Ａからの超音波が、重送した２枚の用紙Ｐの隙間で減衰する原理を利用して、用紙Ｐの重送を検出する。２枚以上の用紙Ｐを通過したときの超音波の減衰度合は、１枚の用紙Ｐを通過したときの超音波の減衰度合よりも大きいので、その大きな減衰度合によって検出値が所定の閾値を超えると（下回ると）、重送と検出される。一方、１枚の用紙Ｐを通過したときの超音波の減衰度合は小さいので、検出値が所定の閾値を超えることがなく、重送とは検出されない。
【００４０】
図４，図５に示すように、第１エッジガイド１７Ａには、発信部４７Ａと受信部４７Ｂとの間に位置することにより、発信部４７Ａから発信された超音波の少なくとも一部を遮ることができるシャッター部４８が取り付けられている。このシャッター部４８は、第１エッジガイド１７Ａの移動と連動して幅方向Ｘに移動する。
【００４１】
また、第１エッジガイド１７Ａは、幅方向Ｘにおいて第２エッジガイド１７Ｂとの間の幅Ｗが最小の第１位置（図４に示す位置）と幅Ｗが最大の第２位置（図３に示す位置）との間を移動可能とされている。そして、第１エッジガイド１７Ａと第２エッジガイド１７Ｂは、用紙サポート１３に載置される用紙Ｐの幅と幅Ｗとが一致するように位置合わせされる。
【００４２】
そして、シャッター部４８は、第１エッジガイド１７Ａが第１位置に位置するとき、発信部４７Ａから発信された超音波の一部を遮る。すなわち、シャッター部４８は、第１エッジガイド１７Ａの第１ガイド面１７Ａａを搬送方向Ｙに延長した延長線Ｂと重送センサー４７とが交差する場合に、延長線Ｂを跨ぐ位置に位置して超音波を遮る。また、シャッター部４８は、延長線Ｂよりも第２エッジガイド１７Ｂ側に突出して形成され、搬送部３１により搬送される用紙Ｐの搬送経路３２の一部を構成し、用紙Ｐはシャッター部４８に支持されて搬送される。
【００４３】
なお、延長線Ｂと重送センサー４７とが交差する場合とは、延長線Ｂが検出領域Ａを通るもしくは接する場合をいう。また、シャッター部４８が超音波を遮る状態とは、シャッター部４８の少なくとも一部が検出領域Ａ内に位置している状態をいう。
【００４４】
次に図６を参照して、用紙搬送装置１１の電気的構成について説明する。図６に示すように、コントローラー５０は、マイクロプロセッサー等からなるコンピューター５１と、記憶部５２とを備える。さらに、コントローラー５０は、ホスト装置５３から各種のデータや信号を入力する入力インターフェイスからなる入力部５５と、用紙搬送装置１１が読み取った読取データをホスト装置５３に出力する出力インターフェイスからなる出力部５６とを備える。
【００４５】
また、コントローラー５０は、読取部４０（イメージセンサー４２Ａ，４２Ｂ）に対して画素信号の読出動作を含む各種の動作タイミングを規定するパルス信号を出力するタイミングジェネレーター５７（以下「ＴＧ５７」とも記す。）を備える。そして、コントローラー５０は、イメージセンサー４２Ａ，４２Ｂから入力した画素信号をアナログ／デジタル変換（Ａ／Ｄ変換）するアナログフロントエンド５８（以下「ＡＦＥ５８」とも記す。）を備える。なお、記憶部５２は、例えば不揮発性メモリー及びＲＡＭからなる。
【００４６】
用紙搬送装置１１は、通信ケーブルを通じてホスト装置５３と接続されている。ホスト装置５３は、例えばパーソナルコンピューター（以下「ＰＣ」ともいう。）により構成されている。なお、ホスト装置５３は、ＰＣに限らず、携帯情報端末（ＰＤＡ（Personal Digital Assistants））、タブレットＰＣ又はスマートフォン等のスマートデバイスなどでもよい。
【００４７】
コンピューター５１は、機能部として、主制御部６２、搬送モーター３７を制御する搬送制御部６３、モード設定部６４、重送センサー４７を制御する重送検出制御部６５、読取部４０を制御する読取制御部６６及び処理部６７を備える。
【００４８】
搬送制御部６３は、主制御部６２の指示に従って搬送モーター３７を駆動し、複数のローラー対３３〜３６を回転させることで、用紙サポート１３にセットされた用紙Ｐを１枚ずつ本体１２内へ給送する。さらに搬送制御部６３は、給送された用紙Ｐを搬送経路３２に沿って読取条件に応じた一定の搬送速度で搬送させる。
【００４９】
モード設定部６４は、例えば重送検出無効スイッチ２５からの指示により、重送センサー４７による重送検出を有効にする有効モード及び重送検出を無効にする無効モードの何れか一方を設定する。また、重送検出制御部６５は、発信部４７Ａが発信する超音波の大きさを制御したり、受信部４７Ｂが受信した超音波の大きさと閾値とを比較して用紙Ｐの重送を検出したりする。
【００５０】
読取制御部６６は、用紙Ｐの搬送中に読取部４０を制御し、用紙Ｐの画像を読み取らせる。詳しくは、読取制御部６６は、ＴＧ５７を介してイメージセンサー４２に対して画素信号の読出動作の動作タイミング等を制御するパルス信号を出力して読取動作を制御する。そして、読取部４０から出力されたアナログの画素信号は、ＡＦＥ５８を介してデジタルの画素信号に変換され、読取データとして処理部６７に入力される。また、処理部６７は、入力されたデジタルの画素信号からなる読取データに対して、シェーディング補正及びガンマ補正等の補正処理を施して、用紙Ｐの画像データを生成する。
【００５１】
次に、第１エッジガイド１７Ａを第１位置に位置させた状態で用紙サポート１３にセットされた用紙Ｐを１枚ずつ搬送する場合の作用について説明する。
さて、用紙搬送装置１１の電源がＯＮされ、スタートスイッチ２２が押されると、重送検出制御部６５は、用紙Ｐが搬送される前に発信部４７Ａに超音波を発信させ、受信部４７Ｂが受信した超音波の大きさを取得する。そして、重送検出制御部６５は、受信部４７Ｂが受信した超音波の大きさに応じて、重送センサー４７が用紙Ｐの重送を検出する場合に発信部４７Ａが発信する超音波の大きさを変更する。
【００５２】
すなわち、第１エッジガイド１７Ａが第１位置に位置してシャッター部４８が超音波の一部を遮っている場合には、第１エッジガイド１７Ａが第２位置に位置する場合に比べて受信部４７Ｂが受信する超音波の大きさが小さくなる。そこで、第１エッジガイド１７Ａが第２位置に位置してシャッター部４８が超音波を遮らない状態で受信部４７Ｂが受信した超音波の大きさを基準とする。なお、この基準の大きさは、予め記憶部５２に記憶されているものとする。そして、重送検出制御部６５は、受信部４７Ｂが受信した超音波の大きさが基準よりも小さい場合には、基準の大きさになるように発信部４７Ａが発信する超音波の大きさを大きくする。
【００５３】
その後、搬送制御部６３は、搬送モーター３７を駆動し、搬送部３１によって用紙Ｐを１枚ずつ搬送させる。なお、用紙Ｐは、両端がそれぞれ第１ガイド面１７Ａａと第２ガイド面１７Ｂａにガイドされながら搬送されるため、用紙Ｐの端は、延長線Ｂに沿って搬送される。そのため、延長線Ｂと重送センサー４７とが交差する場合には、用紙Ｐの端が重送センサー４７の検出領域Ａを通過する。しかし、このとき検出領域Ａは、シャッター部４８により遮られると共に、シャッター部４８上を通過するように用紙Ｐが搬送される。
【００５４】
そして、コンピューター５１は、受信部４７Ｂが受信した超音波の大きさが重送か否かを判断するための閾値よりも小さい場合には、用紙Ｐが重送されているとして用紙Ｐの搬送動作を停止させる。
【００５５】
また、受信部４７Ｂが受信した超音波の大きさが重送か否かを判断するための閾値よりも大きい場合には、コンピューター５１は、用紙Ｐの搬送動作を継続して行う。そして、搬送された用紙Ｐは、読取位置で読取部４０に画像を読み取られ、排出口１２Ｂから排出される。
【００５６】
上記実施形態によれば、以下のような効果を得ることができる。
（１）第１ガイド面１７Ａａは、用紙Ｐを搬送方向Ｙに沿ってガイドするため、搬送部３１により搬送される用紙Ｐの端は、第１ガイド面１７Ａａを延長した延長線Ｂに沿って移動する。そのため、重送センサー４７が延長線Ｂと交差する場合には、発信部４７Ａから発信された超音波が用紙Ｐの端を回り込み、用紙Ｐが重送されていても重送センサー４７が重送を見逃してしまう虞がある。その点、シャッター部４８が延長線Ｂを跨ぐ位置に位置して超音波を遮るため、超音波が用紙Ｐの端を回り込むのを抑制できる。したがって、幅Ｗの狭い用紙Ｐでも重送のまま搬送してしまう虞を低減できる。
【００５７】
（２）受信部４７Ｂが受信する超音波の大きさは、シャッター部４８が超音波を遮るほど小さくなる。その点、この構成によれば、重送検出制御部６５は、用紙Ｐが搬送される前に発信部４７Ａに超音波を発信させる。そして、重送検出制御部６５は、受信部４７Ｂが受信した超音波の大きさに応じて、用紙Ｐの重送を検出する場合に発信部４７Ａが発信する超音波の大きさを変更する。すなわち、例えば重送検出制御部６５は、用紙Ｐが搬送される前に受信部４７Ｂが受信した超音波の大きさが小さい場合に、発信部４７Ａが発信する超音波の大きさを大きくすることができる。したがって、重送センサー４７は、重送の検出を精度よく行うことができる。
【００５８】
（３）第１エッジガイド１７Ａが第１位置に位置するとき、シャッター部４８は超音波の一部を遮る。すなわち、遮られていない部分の超音波が受信部４７Ｂに受信されるため、用紙サポート１３にセットされる用紙Ｐの幅が最小の場合でも、用紙Ｐの重送を検出できる。
【００５９】
（４）搬送される用紙Ｐとシャッター部４８とを接触させることができるため、用紙Ｐとシャッター部４８との隙間を通って回り込む超音波を低減できる。
（第２実施形態）
次に、用紙搬送装置の第２実施形態について図を参照しながら説明する。なお、この第２実施形態は、第１エッジガイド１７Ａの第１位置が第１実施形態の場合とは異なっている。そして、その他の点では第１実施形態とほぼ同じであるため、同一の構成については同一符号を付すことによって重複した説明は省略する。
【００６０】
図７，図８に示すように、シャッター部４８は、第１エッジガイド１７Ａが第１位置に位置するとき、検出領域Ａの全体を遮る。すると、発信部４７Ａから発信された超音波は、シャッター部４８に遮られる。
【００６１】
次に、第１エッジガイド１７Ａを第１位置に位置させた状態で用紙サポート１３にセットされた用紙Ｐを１枚ずつ搬送する場合の作用について説明する。
さて、用紙搬送装置１１の電源がＯＮされると、重送検出制御部６５は、所定のタイミング（例えば一定時間経過後や、セットセンサー４５がオンになったタイミング）で発信部４７Ａに超音波を発信させる。そして、重送検出制御部６５は、受信部４７Ｂが受信した超音波の大きさが記憶部５２に記憶された基準の大きさよりも小さい場合には、発信部４７Ａが発信する超音波の大きさを大きくする。
【００６２】
しかし、シャッター部４８により検出領域Ａの全体もしくは大部分が遮られていると、発信部４７Ａが発信する超音波の大きさを最大にしても、受信部４７Ｂが受信した超音波の大きさは重送の検出に必要な超音波の大きさよりも小さいままである。そして、この状態でユーザーにより指示部２０（スタートスイッチ２２）が操作されることにより搬送動作の開始を指示されると、報知部２７は、重送センサー４７の状況を報知する。すなわち、報知部２７は、重送センサー４７が用紙Ｐの重送を検出できない状態である旨を報知する表示灯を点灯させる。
【００６３】
さらにユーザーにより指示部２０（スタートスイッチ２２）が操作されることにより搬送動作の開始を指示されると、モード設定部６４は、無効モードを設定する。そして、搬送部３１は、無効モードで用紙Ｐを搬送し、搬送された用紙Ｐは、読取位置で読取部４０に画像を読み取られ、排出口１２Ｂから排出される。
【００６４】
上記第２実施形態によれば、上記第１実施形態の（１）〜（４）の効果に加えて以下のような効果を得ることができる。
（５）シャッター部４８が超音波を遮ると、受信部４７Ｂが受信した超音波の大きさが重送の検出に必要な大きさよりも小さくなることがある。その点、報知部２７が重送センサー４７の状態を報知しても、指示部２０が用紙Ｐの搬送動作を指示すると、重送検出を無効にした無効モードで用紙Ｐを搬送することができる。したがって、搬送可能な用紙Ｐの幅をより狭くできる。
【００６５】
なお、上記実施形態は以下のように変更してもよい。
・上記各実施形態において、シャッター部４８と第１エッジガイド１７Ａを一体で形成してもよい。すなわち、第１エッジガイド１７Ａの一部をシャッター部として機能させてもよい。
【００６６】
・上記各実施形態において、シャッター部４８と第１エッジガイド１７Ａは別々の構成としてもよい。例えば、シャッター部４８を検出領域Ａの横に配置し、第２位置側から第１位置側へ移動する第１エッジガイド１７Ａにより、シャッター部４８を検出領域Ａ側に押圧することで、シャッター部４８を検出領域Ａに進入させてもよい。このとき、シャッター部４８は、検出領域Ａから退避する方向へばねなどの付勢部材により付勢され、第１エッジガイド１７Ａによる押圧が解除されると、検出領域Ａから退避してもよい。
【００６７】
・上記各実施形態において、シャッター部４８は、用紙Ｐの搬送経路３２とは異なる位置で超音波を遮ってもよい。すなわち、シャッター部４８は、用紙Ｐを支持せず、用紙Ｐとシャッター部４８との間には隙間が空いていてもよい。また、シャッター部４８は、搬送経路３２と発信部４７Ａとの間に位置して超音波を遮ってもよい。
【００６８】
・上記各実施形態において、報知部２７を備えない構成としてもよい。また、第２実施形態において、第１エッジガイド１７Ａが第１位置に位置して重送を検出できない場合に搬送動作の開始が指示された場合には、搬送部３１は無効モードで用紙Ｐを搬送してもよい。すなわち、コンピューター５１は、報知部２７に重送センサー４７の状態を報知させずに無効モードを設定してもよい。
【００６９】
・上記各実施形態において、用紙搬送装置１１は、スタートスイッチ２２などの指示部２０を備えなくてもよい。例えば、コンピューター５１は、ホスト装置５３から入力された開始指示に基づいて用紙Ｐの搬送動作を開始してもよい。
【００７０】
・上記各実施形態において、第２エッジガイド１７Ｂを備えない構成としてもよい。また、第２エッジガイド１７Ｂを固定とし、第２エッジガイド１７Ｂに対して第１エッジガイド１７Ａを相対移動させることにより幅Ｗを調整してもよい。すなわち、一対のエッジガイドは、少なくとも一方を可動とし、可動するエッジガイドを第１エッジガイドとしてもよい。
【００７１】
・上記各実施形態において、重送検出制御部６５は、用紙Ｐが搬送される前に発信部４７Ａに超音波を発信させ、受信部４７Ｂが受信した超音波の大きさに応じて、重送センサー４７が用紙Ｐの重送を検出する場合に重送か否かを判断するための閾値を変更してもよい。具体的には、重送検出制御部６５は、受信部４７Ｂが受信した超音波の大きさが基準よりも小さい場合には、重送か否かを判断するための閾値を小さくしてもよい。これにより重送センサー４７は、重送の検出を精度よく行うことができる。また、このとき発信部４７Ａが発信する超音波の大きさを変更しなくてもよい。すなわち、重送検出制御部６５は、発信部４７Ａが発信する超音波の大きさと、重送か否かを判断するための閾値の少なくとも一方を変更してもよく、双方を変更しなくてもよい。
【００７２】
・上記各実施形態において、シャッター部４８が超音波を遮った状態で受信部４７Ｂが受信した超音波の大きさを基準としてもよい。例えば、第１実施形態では、第１エッジガイド１７Ａが第１位置に位置して超音波がシャッター部４８に遮られた状態で受信部４７Ｂが受信した超音波の大きさを基準としてもよい。そして、重送検出制御部６５は、受信部４７Ｂが受信した超音波の大きさが基準よりも大きい場合に、発信部４７Ａが発信する超音波の大きさを小さくするのと、重送か否かを判断するための閾値を大きくするのと、少なくとも一方を行ってもよい。
【００７３】
・上記各実施形態において、指示部２０と報知部２７は、タッチパネルとしてもよい。また、報知部２７は、メッセージを表示可能な表示部や、音や音声を出すスピーカーとしてもよい。
【００７４】
・用紙は、単票紙、封筒、葉書、名刺、領収書、クレジットカード、保険証など、搬送部３１により給送及び搬送できるものであれば任意に選択できる。
・用紙搬送装置は、搬送部の一例として自動用紙給送機能（オートドキュメントフィーダー）を備えたフラットベッド型の画像読取装置に適用してもよい。また、用紙搬送装置は、プリンターなどの印刷装置や、印刷部と読取部４０とを備える複合装置としてもよい。なお、印刷装置は、用紙に文字や絵、写真などの画像を印刷する装置であって、インクを噴射して印刷を行うインクジェット式プリンター、トナーを定着させて印刷を行うレーザープリンターや複写機などとしてもよい。さらに、用紙搬送装置は、重なった状態で配置された複数枚の用紙を１枚ずつ搬送する装置であればよく、例えば用紙を折るための紙折機や、用紙を裁断するためのシュレッダーとしてもよい。
【符号の説明】
【００７５】
Ａ…検出領域、Ｂ…延長線、Ｐ…用紙、Ｗ…幅、Ｘ…幅方向、Ｙ…搬送方向、１１…用紙搬送装置、１２…本体、１２Ａ…給送口、１２Ｂ…排出口、１２Ｃ…前面部、１３…用紙サポート（セット部の一例）、１３Ａ…載置面、１４…第１サポート部、１５…第２サポート部、１６…補助サポート部、１７Ａ…第１エッジガイド、１７Ｂ…第２エッジガイド、１７Ａａ…第１ガイド面、１７Ｂａ…第２ガイド面、１８…本体部、１８Ａ…排出トレイ、１８Ｂ…搬送板、１８Ｃ…リブ、１９…カバー部、１９Ａ…操作部、２０…指示部、２１…電源スイッチ、２２…スタートスイッチ、２３…ストップスイッチ、２４…読取モード選択スイッチ、２５…重送検出無効スイッチ、２６…無線通信用スイッチ、２７…報知部、３０…画像読取処理機構、３１…搬送部、３２…搬送経路、３２Ａ…給送ガイド、３３…給送ローラー対、３４…給送ローラー対、３５…搬送ローラー対、３６…搬送ローラー対、３３Ａ−３６Ａ…駆動ローラー、３３Ｂ−３６Ｂ…従動ローラー、３７…搬送モーター、３８…分離機構、３９…搬送面部、４０…読取部、４０Ａ…第１読取部、４０Ｂ…第２読取部、４１…光源、４１Ａ…第１光源、４１Ｂ…第２光源、４２…イメージセンサー、４２Ａ…第１イメージセンサー、４２Ｂ…第２イメージセンサー、４３…色基準板、４５…セットセンサー、４６…搬送センサー、４７…重送センサー（重送検出部の一例）、４７Ａ…発信部、４７Ｂ…受信部、４８…シャッター部、５０…コントローラー、５１…コンピューター、５２…記憶部、５３…ホスト装置、５５…入力部、５６…出力部、５７…ＴＧ、５８…ＡＦＥ、６２…主制御部、６３…搬送制御部、６４…モード設定部、６５…重送検出制御部、６６…読取制御部、６７…処理部。
【図１】
2017088269.tif 000003
【図２】
2017088269.tif 000004
【図３】
2017088269.tif 000005
【図４】
2017088269.tif 000006
【図５】
2017088269.tif 000007
【図６】
2017088269.tif 000008
【図７】
2017088269.tif 000009
【図８】
2017088269.tif 000010